(57)【要約】【課題】ユーザ入力に応じて情報を検索表示する電子辞書などの電子機器において、複数の表示画面を設ける必要や表示画面が暗く不鮮明になることなく、必要に応じて手書きで文字を入力して表示する。【解決手段】キー入力部１４におけるキー入力操作に応じて文字入力し表示部（画面）１６に表示させるだけでなく、回動式タッチパネル１７を同表示部（画面）１６上の右下に引き出した手書き入力併用モードでは、その透明タッチパネル１９を使用した手書き軌跡の描画データが当該透明タッチパネル１９の重なった同表示部（画面）１６上右下のタッチパネル用表示領域１９ａに表示され、手書きでの文字入力表示も行える。【選択図】      図１
2008071161.tif 000002
【特許請求の範囲】
【請求項１】
表示部を有する電子機器であって、
前記表示部の表示画面における一部表示領域上と当該表示画面外との間で移動可能な透明タッチパネルと、
この透明タッチパネルが前記表示画面における一部表示領域上に移動された状態で、当該透明タッチパネルにより検出されたタッチ位置に対応する軌跡を前記表示画面における一部表示領域上に表示させるタッチ軌跡表示制御手段と、
を備えたことを特徴とする電子機器。
【請求項２】
前記タッチパネルは前記表示画面の右または左の端部から外れた側方を収納部とし、回動して当該表示画面上に移動することを特徴とする請求項１に記載の電子機器。
【請求項３】
前記タッチパネルは前記表示画面の右または左の端部から外れた側方を収納部とし、左右にスライドして当該表示画面上に移動したり収納部に移動したりすることを特徴とする請求項１に記載の電子機器。
【請求項４】
前記タッチパネルは前記表示画面の下または上の端部から外れた下方または上方を収納部とし、上下にスライドして当該表示画面上に移動したり収納部に移動したりすることを特徴とする請求項１に記載の電子機器。
【請求項５】
前記透明タッチパネルにより検出されたタッチ位置に対応して前記タッチ軌跡表示制御手段により前記表示画面に表示された手書き文字を文字認識する文字認識手段と、
この文字認識手段により認識された手書き文字に対応する候補文字を前記表示画面における一部表示領域上に表示させる候補文字表示制御手段と、
この候補文字表示制御手段により前記手書き文字に対応する候補文字が前記表示画面における一部表示領域上に表示された状態で、前記透明タッチパネルにより検出されたタッチ位置に対応するところの候補文字を入力文字として確定する文字確定手段と、
をさらに備えことを特徴とする請求項１ないし請求項４に記載の電子機器。
【請求項６】
前記透明タッチパネルにより検出されたタッチ位置に対応して前記タッチ軌跡表示制御手段により前記表示画面に表示された手書き文字に基づいて辞書検索を行う辞書検索手段と、
この辞書検索手段により検索された検索情報が前記表示画面に表示された状態で、前記透明タッチパネルにより検出されたタッチ位置に対応するところの前記表示画面に表示された検索情報がジャンプ検索用の文字列であるかを判断するジャンプ文字列判断手段と、
このジャンプ文字列判断手段により前記タッチ位置に対応するところの表示検索情報がジャンプ検索用の文字列であると判断された場合に当該ジャンプ検索用の文字列に従いジャンプ検索処理するジャンプ検索手段と、
をさらに備えことを特徴とする請求項１ないし請求項４に記載の電子機器。
【発明の詳細な説明】
【技術分野】
【０００１】
本発明は、ユーザ入力に応じて情報を検索表示する電子辞書などの電子機器に関する。
【背景技術】
【０００２】
従来の電子辞書装置において、例えば国語系の辞書検索を行う場合、かな文字キーにより被検索文字列の読みをキー入力すると、このキー入力された読みに対応した漢字の見出語が検索されて表示される。
【０００３】
しかしながら、ユーザがその読みを知らない漢字を調べたい場合、手書きで入力した文字を認識させて対応する漢字を検索表示させることが考えられる。
【０００４】
そこで、手書き文字の入力手段としてタッチパネルを設けた電子辞書装置が考えられている（例えば、特許文献１参照。）。
【０００５】
このタッチパネルを設けた従来の電子辞書装置では、手書き文字を入力表示させるタッチパネル表示領域とこれにより文字認識された漢字を表示させる表示領域との複数の表示領域が備えられる。
【特許文献１】特開２００５−１６５５３３号公報
【発明の開示】
【発明が解決しようとする課題】
【０００６】
タッチパネル表示領域と通常の漢字表示領域との複数の表示領域を備えた従来の電子辞書装置では、独立した表示領域を設ける必要があり、該当機器を製造する上でコスト高になる問題がある。
【０００７】
このため、電子辞書装置にあっても、ＰＤＡ(Personal Digital Assistant)などの電子情報機器と同様に、全ての処理に必要な情報を表示する表示画面上を透明タッチパネルで覆って構成した全画面タッチパネル表示方式とすることが考えられる。
【０００８】
しかしこの場合、漢字などの文字キャラクタを鮮明に表示させなければならない電子辞書装置にあって、その表示画面が暗く不鮮明になり、文字が見難くなってしまう問題がある。
【０００９】
本発明は、このような課題に鑑みなされたもので、複数の表示画面を設ける必要や表示画面が暗く不鮮明になることなく、必要に応じて手書きで文字を入力して表示することが可能になる電子機器を提供することを目的とする。
【課題を解決するための手段】
【００１０】
請求項１に記載の電子機器は、表示部を有する電子機器であって、前記表示部の表示画面における一部表示領域上と当該表示画面外との間で移動可能な透明タッチパネルと、この透明タッチパネルが前記表示画面における一部表示領域上に移動された状態で、当該透明タッチパネルにより検出されたタッチ位置に対応する軌跡を前記表示画面における一部表示領域上に表示させるタッチ軌跡表示制御手段と、を備えたことを特徴としている。
【００１１】
請求項２に記載の電子機器は、前記請求項１に記載の電子機器において、前記タッチパネルは前記表示画面の右または左の端部から外れた側方を収納部とし、回動して当該表示画面上に移動することを特徴としている。
【００１２】
請求項３に記載の電子機器は、前記請求項１に記載の電子機器において、前記タッチパネルは前記表示画面の右または左の端部から外れた側方を収納部とし、左右にスライドして当該表示画面上に移動したり収納部に移動したりすることを特徴としている。
【００１３】
請求項４に記載の電子機器は、前記請求項１に記載の電子機器において、前記タッチパネルは前記表示画面の下または上の端部から外れた下方または上方を収納部とし、上下にスライドして当該表示画面上に移動したり収納部に移動したりすることを特徴としている。
【００１４】
請求項５に記載の電子機器は、前記請求項１ないし請求項４に記載の電子機器において、前記透明タッチパネルにより検出されたタッチ位置に対応して前記タッチ軌跡表示制御手段により前記表示画面に表示された手書き文字を文字認識する文字認識手段と、この文字認識手段により認識された手書き文字に対応する候補文字を前記表示画面における一部表示領域上に表示させる候補文字表示制御手段と、この候補文字表示制御手段により前記手書き文字に対応する候補文字が前記表示画面における一部表示領域上に表示された状態で、前記透明タッチパネルにより検出されたタッチ位置に対応するところの候補文字を入力文字として確定する文字確定手段と、をさらに備えことを特徴としている。
【００１５】
請求項６に記載の電子機器は、前記請求項１ないし請求項４に記載の電子機器において、前記透明タッチパネルにより検出されたタッチ位置に対応して前記タッチ軌跡表示制御手段により前記表示画面に表示された手書き文字に基づいて辞書検索を行う辞書検索手段と、この辞書検索手段により検索された検索情報が前記表示画面に表示された状態で、前記透明タッチパネルにより検出されたタッチ位置に対応するところの前記表示画面に表示された検索情報がジャンプ検索用の文字列であるかを判断するジャンプ文字列判断手段と、このジャンプ文字列判断手段により前記タッチ位置に対応するところの表示検索情報がジャンプ検索用の文字列であると判断された場合に当該ジャンプ検索用の文字列に従いジャンプ検索処理するジャンプ検索手段と、をさらに備えことを特徴としている。
【発明の効果】
【００１６】
本発明の請求項１に記載の電子機器によれば、表示部の表示画面における一部表示領域上と当該表示画面外との間で移動可能な透明タッチパネルが設けられると共に、この透明タッチパネルが前記表示画面における一部表示領域上に移動された状態では、当該透明タッチパネルにより検出されたタッチ位置に対応する軌跡が前記表示画面における一部表示領域上にエコーバックして表示されるので、複数の表示画面を設ける必要や表示画面全体が常に暗く不鮮明になることなく、必要に応じて手書きで文字を入力して表示することができる。
【００１７】
本発明の請求項２に記載の電子機器によれば、前記請求項１に記載の電子機器において、前記タッチパネルを前記表示画面の右または左の端部から外れた側方を収納部とし、回動して当該表示画面上に移動できるようになる。
【００１８】
本発明の請求項３に記載の電子機器によれば、前記請求項１に記載の電子機器において、前記タッチパネルを前記表示画面の右または左の端部から外れた側方を収納部とし、左右にスライドして当該表示画面上に移動したり収納部に移動したりできるようになる。
【００１９】
本発明の請求項４に記載の電子機器によれば、前記請求項１に記載の電子機器において、前記タッチパネルを前記表示画面の下または上の端部から外れた下方または上方を収納部とし、上下にスライドして当該表示画面上に移動したり収納部に移動したりできるようになる。
【００２０】
本発明の請求項５に記載の電子機器によれば、前記請求項１ないし請求項４に記載の電子機器において、さらに、前記透明タッチパネルにより検出されたタッチ位置に対応して前記タッチ軌跡表示制御手段により前記表示画面にエコーバックして表示された手書き文字が文字認識され、この文字認識された手書き文字に対応する候補文字が前記表示画面における一部表示領域上に表示された状態では、前記透明タッチパネルにより検出されたタッチ位置に対応するところの候補文字が入力文字として確定されるので、必要に応じて移動式タッチパネルを使用して手書きで文字を入力して表示できるばかりでなく、当該手書き入力され文字認識された候補文字をも同移動式タッチパネルをタッチ操作して容易に選択確定できる。
【００２１】
本発明の請求項６に記載の電子機器によれば、前記請求項１ないし請求項４に記載の電子機器において、さらに、前記透明タッチパネルにより検出されたタッチ位置に対応して前記タッチ軌跡表示制御手段により前記表示画面にエコーバックして表示された手書き文字に基づいて辞書検索が行われる。そして、この辞書検索情報が前記表示画面に表示された状態で、前記透明タッチパネルにより検出されたタッチ位置に対応するところの前記表示画面に表示された検索情報がジャンプ検索用の文字列であると判断された場合には、当該ジャンプ検索用の文字列に従いジャンプ検索処理が行われるので、必要に応じて移動式タッチパネルを使用して手書きで文字を入力して表示できるばかりでなく、この移動式タッチパネルを、辞書検索情報中に含まれるジャンプ検索用の文字列をタッチして選択指定するためにも利用することできる。
【００２２】
よって本発明によれば、複数の表示画面を設ける必要や表示画面が暗く不鮮明になることなく、必要に応じて手書きで文字を入力して表示することが可能になる電子機器を提供できる。
【発明を実施するための最良の形態】
【００２３】
以下図面により本発明の実施の形態について説明する。
【００２４】
（第１実施形態）
図１は、本発明の電子機器の第１実施形態に係る電子辞書装置１０の外観構成を示す図であり、同図（Ａ）は回動式タッチパネル１７を収納した状態での正面図、（Ａ１）はそのａ−ａ線断面図、（Ａ２）はそのｂ−ｂ線断面図、同図（Ｂ）は回動式タッチパネル１７を引き出した状態での正面図である。
【００２５】
この電子辞書装置１０は、その本体ケース１１と蓋体ケース１２とがヒンジ部１３を介して展開／閉塞可能な折り畳み型ケースを備えて構成される。この折り畳みケースを展開した本体ケース１１の表面には、電源キー、各種文字・記号キー、辞書指定キー、訳／決定キー、カーソルキーなどを備えたキー入力部１４、およびスピーカ１５が設けられる。また蓋体ケース１２の表面には、そのほぼ全域に表示部（画面）１６が設けられると共に、当該表示部（画面）１６の右端から蓋体ケース１２の右端までの間の縦長矩形領域には、回動式タッチパネル１７の収納部が形成される。
【００２６】
回動式タッチパネル１７は、その収納部下端に設けた回転軸１８により支持され、矢印Ｘで示すように、表示部（画面）１６上に９０度回転移動して引き出し可能なもので、この回動式タッチパネル１７には、その９０度の回動によって表示部（画面）１６の下端に沿って引き出された際に、当該表示部（画面）１６右下の一部矩形領域を覆うようにした小型の透明タッチパネル１９が設けられる。
【００２７】
前記回動式タッチパネル１７が、図１（Ｂ）に示すように表示部（画面）１６の下端に沿って引き出された状態は、その回転軸１８に設けられた移動検出部１８ａによって検出されるもので、この回動式タッチパネル１７の完全な引き出しが検出されている状態（手書き入力併用モード）では、その透明タッチパネル１９が重なる前記表示部（画面）１６右下の一部矩形領域は、当該透明タッチパネル１９でのタッチ入力に伴う軌跡をエコーバックして表示するためのタッチパネル用表示領域１９ａとして切り換えられて表示駆動される。
【００２８】
図２は、前記電子辞書装置１０の電子回路の構成を示すブロック図である。
【００２９】
この電子辞書装置１０の電子回路には、ＣＰＵ(central processing unit)２１が備えられる。
【００３０】
ＣＰＵ２１は、フラッシュメモリなどによって構成される記憶装置２２内に記憶された装置制御プログラムに応じて、ＲＡＭ２３を作業用メモリとし回路各部の動作を制御するもので、この記憶装置２２に記憶された装置制御プログラムは、キー入力部１４や移動検出部１８ａおよび透明タッチパネル１９からのユーザ操作に応じた入力信号に応じて起動される。
【００３１】
前記ＣＰＵ２１には、前記記憶装置２２、ＲＡＭ２３、キー入力部１４、移動検出部１８ａ、透明タッチパネル１９が接続される他に、ＬＣＤからなる表示部（画面）１６などが接続される。
【００３２】
記憶装置２２には、本電子辞書装置１０の全体の動作を司るシステムプログラムが記憶される他に、国語辞書２２ａや英和辞書２２ｂなどの辞書データと共に検索文字列の入力に応じた見出語検索処理と選択確定された見出語に対応した訳語・意味内容・例文（用例）などの各種説明情報の読み出し表示処理など、辞書検索処理全般を制御するための辞書検索処理プログラムが記憶される。
【００３３】
また、記憶装置２２には、移動検出部１８ａによって回動式タッチパネル１７の完全な引き出しが検出されている手書き入力併用モードにおいて、透明タッチパネル１９に手書き入力され、当該手書き入力位置に対応した表示部（画面）１６上のタッチパネル用表示領域１９ａに表示出力された手書き文字を認識するための文字認識プログラム２２ｃも記憶される。
【００３４】
そして、ＲＡＭ１４には、前記回動式タッチパネル１７の透明タッチパネル１９にて検出された手書き位置の軌跡に対応する座標データが記憶される手書き入力バッファ、この手書き入力バッファに記憶される手書き位置の座標データに対応して前記タッチパネル用表示領域１９ａに表示すべき描画データが記憶される手書き描画バッファ、この手書き描画バッファに記憶された手書きの描画データに基づき文字認識された文字データが記憶される認識文字バッファ、キー入力された文字データや文字認識された文字データが辞書検索処理の検索文字（列）として記憶される検索文字バッファ、この検索文字バッファに記憶された検索文字（列）に基づいて、前記各種の辞書データ（２２ａ，２２ｂ）の中から検索された各見出語が読み出されて記憶される検索見出語バッファなどが用意される。
【００３５】
次に、前記構成の第１実施形態の電子辞書装置１０による辞書検索機能および文字入力機能について説明する。
【００３６】
図３は、前記電子辞書装置１０による辞書検索処理を示すフローチャートである。
【００３７】
キー入力部１４におけるキー入力操作に応じて入力された文字データあるいは回動式タッチパネル１７での手書き入力操作に応じて入力され文字認識された文字データが、辞書検索文字（列）としてＲＡＭ２３内の検索文字バッファに記憶されると（ステップＳ１）、この検索文字バッファに記憶された検索文字（列）と一致する辞書の見出語が辞書データ（２２ａ，２２ｂ）から検索されて検索見出語バッファに記憶される（ステップＳ２）。そして、この検索見出語バッファに記憶された辞書の見出語は辞書検索結果として表示部１６に表示される（ステップＳ３）。
【００３８】
図４は、前記電子辞書装置１０の国語辞書検索画面Ｇにおいて手書き入力併用モードにより回動式タッチパネル１７を使用した状態での手書き文字入力操作状態を示す図である。
【００３９】
図５は、前記電子辞書装置１０による文字入力処理を示すフローチャートである。
【００４０】
キー入力部１４の辞書指定キーにより国語辞書２２ａが指定されることで、国語辞書検索画面Ｇが表示部１６に表示されて文字入力処理が起動されると、先ず、回動式タッチパネル１７の移動検出部１８ａにより当該パネル１７の表示部１６上の所定位置への引き出しが検出されたか否か判断される（ステップＡ１）。
【００４１】
ここで、前記回動式タッチパネル１７の表示部１６上の所定位置への引き出しが検出されてないと判断されると（ステップＡ１（Ｎｏ））、キー入力部１４からのキー入力のみに応じた通常入力モードに設定され、表示部（画面）１６の全画面領域を通常の表示画面領域とした国語辞書検索画面（第１の入力画面（図示せず））が表示される（ステップＡ２）。
【００４２】
この国語辞書検索画面（第１の入力画面（図示せず））において、ユーザにより検索したい漢字の読みがキー入力されると（ステップＡ３）、当該入力された漢字の読みの文字データは順次文字入力バッファに記憶されると共に前記検索文字バッファに記憶される（ステップＡ４，Ａ５）。
【００４３】
そして、前記キー入力に応じてユーザ所望の漢字の読みが入力され前記検索文字バッファに記憶されると（ステップＡ１〜Ａ５）、この検索文字バッファに記憶された検索文字（列）に基づいて、前記図３における辞書検索処理が実行され、前記キー入力された漢字の読みに対応した漢字の見出語が検索されて表示される（ステップＳ１〜Ｓ３）。
【００４４】
一方、前記ステップＡ１において、図４に示すように、前記回動式タッチパネル１７の表示部１６上の所定位置への引き出しが検出されたと判断されると（ステップＡ１（Ｙｅｓ））、その透明タッチパネル１９を使用して手書きで文字入力が行える手書き入力併用モードに設定され、当該透明タッチパネル１９の重なる表示部（画面）１６上の右下の一部領域をタッチパネル用表示領域１９ａとした国語辞書検索画面（第２の入力画面）が表示される（ステップＡ６）。
【００４５】
そして、前記回動式タッチパネル１７の透明タッチパネル１９においてユーザによってその読みを知らない文字が手書きで入力されると（ステップＡ７（Ｙｅｓ））、この透明タッチパネル１９にて検出された手書き位置の座標データに応じた手書き軌跡の描画データが、表示部（画面）１６上のタッチパネル用表示領域１９ａに順次表示される（ステップＡ８）。
【００４６】
例えば図４に示すように、手書き文字「槃」が入力表示されると（ステップＡ７〜Ａ９）、この手書き入力された文字データが文字認識処理され（ステップＡ１０）、認識結果の候補文字（列）「槃般段架梨」Ｋが前記表示部（画面）１６上の一部の領域に並べて表示される（ステップＡ１１）。
【００４７】
この際、前記候補文字（列）「槃般段架梨」Ｋには、当該候補文字を選択するための反転カーソルＣを表示させるもので、カーソルキーの操作によりユーザ所望の候補文字が選択されて確定されると（ステップＡ１２）、前記透明タッチパネル１９によって次の手書き文字が入力可能な状態にセットされる（ステップＡ１３→Ａ７）。
【００４８】
そして、前記回動式タッチパネル１７を使用した手書きの文字入力に応じてユーザ所望の漢字が入力され前記検索文字バッファに記憶されると（ステップＡ６〜Ａ１３）、この検索文字バッファに記憶された検索文字（列）に基づいて、前記図３における辞書検索処理が実行され、当該入力された漢字に対応した見出語が検索されて表示される（ステップＳ１〜Ｓ３）。
【００４９】
したがって、前記構成の第１実施形態の電子辞書装置１０による文字入力機能によれば、キー入力部１４におけるキー入力操作に応じて文字入力し表示部（画面）１６に表示させるだけでなく、回動式タッチパネル１７を同表示部（画面）１６上の右下に引き出した手書き入力併用モードでは、その透明タッチパネル１９を使用した手書き軌跡の描画データが当該透明タッチパネル１９の重なった同表示部（画面）１６上右下のタッチパネル用表示領域１９ａに表示され、手書きでの文字入力表示も行えるので、複数の表示画面を設ける必要や表示画面全体が常に暗く不鮮明になることなく、必要に応じて手書きで文字を入力して表示することが可能になる。
【００５０】
なお、前記実施形態では、回動式タッチパネル１７の透明タッチパネル１９にてタッチ入力した手書き文字の文字認識に伴う候補文字（列）を、当該透明タッチパネル１９およびそのタッチパネル用表示領域１９ａからは外れた表示部（画面）１６上に反転カーソルＣと共に表示させ、カーソルキーの操作によって該カーソルＣを移動させて候補文字を選択し確定する構成としたが、次の図６、図７を参照して説明するように、前記手書き文字の文字認識に伴う候補文字（列）も同手書き文字と共に透明タッチパネル１９に対応したタッチパネル用表示領域１９ａ上に表示させ、ユーザによるタッチ操作によって候補文字を選択確定する構成としてもよい。
【００５１】
図６は、前記第１実施形態の電子辞書装置１０による文字入力機能の変形例である手書き入力処理を示すフローチャートである。
【００５２】
この文字入力機能の変形例である手書き入力処理（ステップＢ１〜Ｂ６）は、前記図５における文字入力処理のステップＡ７〜Ａ１２に入れ替えられて機能する。
【００５３】
図７は、前記第１実施形態の電子辞書装置１０による文字入力機能の変形例である手書き入力処理に伴う手書き文字入力操作状態を示す図である。
【００５４】
この文字入力機能の変形例では、表示部（画面）１６において、当該表示部（画面）１６上に引き出された回動式タッチパネル１７の透明パッチパネル１９に対応するところのタッチパネル用表示領域１９ａを、図７に示すように、その右側で手書きの描画データを表示する第１表示領域１９a1と、その左側で手書き文字の認識候補文字（列）を表示する第２表示領域１９a2とで併用する構成とする。
【００５５】
すなわち、回動式タッチパネル１７の表示部１６上の所定位置への引き出しが移動検出部１８ａにて検出され、手書き入力併用モードに設定されると共に（ステップＡ１（Ｙｅｓ））、透明タッチパネル１９の重なる表示部（画面）１６上の右下の一部領域をタッチパネル用表示領域１９ａとした国語辞書検索画面（第２の入力画面）が表示された状態で（ステップＡ６）、図７に示すように、前記タッチパネル用表示領域１９ａの第１表示領域１９a1に対応する透明タッチパネル１９の右領域において、ユーザによってその読みを知らない文字「槃」が手書きで入力されると（ステップＢ１）、この透明タッチパネル１９の右領域にて検出された手書き位置の座標データに応じた手書き軌跡の描画データが、表示部（画面）１６における前記タッチパネル用表示領域１９ａの第１表示領域１９a1に表示される（ステップＢ２）。
【００５６】
すると、この手書き入力された文字データが文字認識処理され（ステップＢ３）、認識結果の候補文字（列）「槃般段架梨」Ｋが表示部（画面）１６における前記タッチパネル用表示領域１９ａの第２表示領域１９a2に並べて表示される（ステップＢ４）。
【００５７】
ここで、前記タッチパネル用表示領域１９ａの第２表示領域１９a2に表示された候補文字（列）「槃般段架梨」Ｋについて、これを透過表示している透明タッチパネル１９ａに対するタッチ操作によりユーザ所望の候補文字が選択されると（ステップＢ５）、このタッチ選択された候補文字が入力文字として確定される（ステップＢ６）。
【００５８】
こうすることで、前記実施形態同様に、複数の表示画面を設ける必要や表示画面全体が常に暗く不鮮明になること無しに、必要に応じて回動式タッチパネル１７を使用して手書きで文字を入力して表示できるばかりでなく、当該手書き入力され文字認識された候補文字をも同回動式タッチパネル１７をタッチ操作して容易に選択確定させることができる。
【００５９】
なお、本電子辞書装置１０にあって、回動式タッチパネル１７を表示部（画面）１６上に引き出した手書き入力併用モードでは、当該タッチパネル１７（１９）は、主に、読みを知らない漢字を手書きで入力するために使用されるので、辞書検索の対象となる辞書の種類を辞書指定キーにより予め指定しなくても、前記回動式タッチパネル１７を引き出した際には、強制自動的に国語辞書２２ａ、漢字辞書、広辞苑などの漢字検索を伴う種類の辞書に切り替える構成としてもよい。
【００６０】
（第２実施形態）
図８は、本発明の電子機器の第２実施形態に係る電子辞書装置１０Ａの外観構成を示す図であり、同図（Ａ）は左右移動式タッチパネル２７を収納した状態での正面図、（Ａ１）はそのａ−ａ線断面図、（Ａ２）はそのｂ−ｂ線断面図、同図（Ｂ）は左右移動式タッチパネル２７を引き出した状態での正面図である。
【００６１】
この第２実施形態に係る電子辞書装置１０Ａでは、表示部（画面）１６の右端から蓋体ケース１２の右端までの間の縦長矩形領域に、左右移動式タッチパネル２７の収納部が形成される。
【００６２】
左右移動式タッチパネル２７は、その収納部上下両端から各対応する表示部（画面）１６の上端および下端に渡り延設された横スライド溝２８ａ，２８ｂに係止して支持され、矢印Ｙで示すように、表示部（画面）１６上に横移動して引き出し可能なもので、この左右移動式タッチパネル２７には、その横スライド溝２８ａ，２８ｂに沿った横へのスライド移動によって表示部（画面）１６の右端に当該パネル２７の右端を合わせて引き出された際に、当該表示部（画面）１６右端の縦長になる一部矩形領域を覆うようにした小型の透明タッチパネル２９が設けられる。
【００６３】
前記左右移動式タッチパネル２７が、図８（Ｂ）に示すように表示部（画面）１６の右端に合わせて引き出された状態は、その横スライド溝２８ａ，２８ｂに設けられた移動検出部１８ａによって検出されるもので、この左右移動式タッチパネル２７の完全な引き出しが検出されている状態（手書き入力併用モード）では、その透明タッチパネル２９が重なる前記表示部（画面）１６右端の縦長矩形領域は、当該透明タッチパネル２９でのタッチ入力に伴う軌跡をエコーバックして表示するためのタッチパネル用表示領域２９ａとして切り換えられて表示駆動される。
【００６４】
このように左右移動式タッチパネル２７を備えた第２実施形態の電子辞書装置１０Ａも、前記回動式タッチパネル１７を備えた第１実施形態の電子辞書装置１０と同様の辞書検索機能（図３参照）および文字入力機能（図５参照）を有する。
【００６５】
したがって、前記構成の第２実施形態の電子辞書装置１０Ａによる文字入力機能によれば、キー入力部１４におけるキー入力操作に応じて文字入力し表示部（画面）１６に表示させるだけでなく、左右移動式タッチパネル２７を同表示部（画面）１６上の右端に合わせて引き出した手書き入力併用モードでは、その透明タッチパネル２９を使用した手書き軌跡の描画データが当該透明タッチパネル２９の重なった同表示部（画面）１６上右端のタッチパネル用表示領域２９ａに表示され、手書きでの文字入力表示も行えるので、前記第１実施形態と同様に、複数の表示画面を設ける必要や表示画面全体が常に暗く不鮮明になることなく、必要に応じて手書きで文字を入力して表示することが可能になる。
【００６６】
そして、この第２実施形態の電子辞書装置１０Ａにおいても、前記第１実施形態（図６、図７参照）と同様に、次の図９を参照して説明するように、手書き文字の文字認識に伴う候補文字（列）も同手書き文字と共に透明タッチパネル２９に対応したタッチパネル用表示領域２９ａ上に表示させ、ユーザによるタッチ操作によって候補文字を選択確定する構成としてもよい。
【００６７】
図９は、前記第２実施形態の電子辞書装置１０Ａによる文字入力機能の変形例である手書き入力処理に伴う手書き文字入力操作状態を示す図である。
【００６８】
この第２実施形態の文字入力機能の変形例においても、前記第１実施形態における文字入力機能の変形例と同様に、表示部（画面）１６において、当該表示部（画面）１６上に引き出された左右移動式タッチパネル２７の透明パッチパネル２９に対応するところのタッチパネル用表示領域２９ａを、図９に示すように、その下側で手書きの描画データを表示する第１表示領域２９a1と、その上側で手書き文字の認識候補文字（列）を表示する第２表示領域２９a2とで併用する構成とする。
【００６９】
こうすることで、前記第１実施形態の変形例と同様に、複数の表示画面を設ける必要や表示画面全体が常に暗く不鮮明になること無しに、必要に応じて左右移動式タッチパネル２７を使用して手書きで文字を入力して表示できるばかりでなく、当該手書き入力され文字認識された候補文字をも同左右移動式タッチパネル２７をタッチ操作して容易に選択確定させることができる。
【００７０】
なお、この第２実施形態の電子辞書装置１０Ａにおいて、左右移動式タッチパネル２７を表示部（画面）１６上の右端に合わせて引き出した状態では、前述した通り、その透明タッチパネル２９に対するタッチ操作によって当該タッチパネル２９に対応するところの表示領域に表示された表示データを選択指定できるので、次の図１０および図１１を参照して説明するように、辞書検索に伴い表示された説明情報の表示画面Ｇ１において、当該説明情報中に存在する「類語」や「用例」のジャンプ検索のためのキーワードＪｎが前記タッチパネル２９に対応するところの表示領域に表示されていれば、このキーワードＪｎをタッチ操作により指定することで、該当するジャンプ検索が実行される構成としてもよい。
【００７１】
図１０は、前記第２実施形態の電子辞書装置１０Ａにおける左右移動式タッチパネル２７を使用して辞書検索に伴う説明情報表示画面Ｇ１中のジャンプ検索キーワードＪｎを指定可能な状態を示す図である。
【００７２】
図１１は、前記第２実施形態の電子辞書装置１０Ａにおけるジャンプ検索機能を備えた辞書検索表示処理を示すフローチャートである。
【００７３】
例えば、前述したキー入力操作に伴い入力された検索文字（列）あるいは前記図９で示したように手書き入力操作およびその文字認識処理に伴い入力された検索文字（列）「涅槃」に従って、図１０に示すように辞書検索処理された説明情報が説明情報表示画面Ｇ１に表示された状態で（ステップＴ１）、左右移動式タッチパネル２７の透明パッチパネル２９によりユーザのタッチ操作が検出されたと判断されると（ステップＴ２（Ｙｅｓ））、そのタッチ操作の検出位置に対応するところの前記説明情報表示画面Ｇ１中の表示行がジャンプ検索キーワードＪｎの表示行であるか否か判断される（ステップＴ３）。
【００７４】
ここで、図１０に示すように、前記左右移動式タッチパネル２７の透明パッチパネル２９により検出されたユーザ操作位置に対応するところ表示行が「類語」のジャンプ検索キーワードＪ１またはＪ２の表示行であると判断された場合には（ステップＴ３（Ｙｅｓ））、当該タッチ操作位置に対応するところのキーワードＪｎに従ったジャンプ検索処理が実行される（ステップＴ４）。
【００７５】
例えばジャンプ検索キーワードＪ１「有余涅槃」がタッチ操作された場合には、その説明情報がジャンプ検索されて表示される。
【００７６】
こうすることで、表示部（画面）１６上に必要に応じて引き出し、手書きでの文字入力およびその表示処理を行わせることのできる左右移動式タッチパネル２７を、辞書検索結果として表示された説明情報中に含まれるジャンプ検索キーワードＪｎをタッチ操作して選択指定するためにも利用することできる。
【００７７】
（第３実施形態）
図１２は、本発明の電子機器の第３実施形態に係る電子辞書装置１０Ｂの外観構成を示す図であり、同図（Ａ）は上下移動式タッチパネル３７を収納した状態での正面図、（Ａ１）はそのａ−ａ線断面図、同図（Ｂ）は上下移動式タッチパネル３７を引き出した状態での正面図、（Ｂ１）はそのｂ−ｂ線断面図である。
【００７８】
この第３実施形態に係る電子辞書装置１０Ｂでは、表示部（画面）１６の下端から蓋体ケース１２の下端までの間の横長矩形領域に、上下移動式タッチパネル３７の収納部が形成される。
【００７９】
上下移動式タッチパネル３７は、その収納部左右両端から各対応する表示部（画面）１６の左端および右端に渡り延設された縦スライド溝３８ａ，３８ｂに係止して支持され、矢印Ｚで示すように、表示部（画面）１６上に縦移動して引き出し可能なもので、この上下移動式タッチパネル３７には、その縦スライド溝３８ａ，３８ｂに沿った縦へのスライド移動によって表示部（画面）１６の下端に当該パネル３７の下端を合わせて引き出された際に、当該表示部（画面）１６下端の横長になる一部矩形領域を覆うようにした小型の透明タッチパネル３９が設けられる。
【００８０】
前記上下移動式タッチパネル３７が、図１２（Ｂ）に示すように表示部（画面）１６の下端に合わせて引き出された状態は、その縦スライド溝３８ａ，３８ｂに設けられた移動検出部１８ａによって検出されるもので、この上下移動式タッチパネル３７の完全な引き出しが検出されている状態（手書き入力併用モード）では、その透明タッチパネル３９が重なる前記表示部（画面）１６下端の横長矩形領域は、当該透明タッチパネル３９でのタッチ入力に伴う軌跡をエコーバックして表示するためのタッチパネル用表示領域３９ａとして切り換えられて表示駆動される。
【００８１】
このように上下移動式タッチパネル３７を備えた第３実施形態の電子辞書装置１０Ｂも、前記回動式タッチパネル１７を備えた第１実施形態の電子辞書装置１０や前記左右移動式タッチパネル２７を備えた第２実施形態の電子辞書装置１０Ａと同様の辞書検索機能（図３参照）および文字入力機能（図５参照）を有する。
【００８２】
したがって、前記構成の第３実施形態の電子辞書装置１０Ｂによる文字入力機能によれば、キー入力部１４におけるキー入力操作に応じて文字入力し表示部（画面）１６に表示させるだけでなく、上下移動式タッチパネル３７を同表示部（画面）１６上の下端に合わせて引き出した手書き入力併用モードでは、その透明タッチパネル３９を使用した手書き軌跡の描画データが当該透明タッチパネル３９の重なった同表示部（画面）１６上下端のタッチパネル用表示領域３９ａに表示され、手書きでの文字入力表示も行えるので、前記第１，第２実施形態と同様に、複数の表示画面を設ける必要や表示画面全体が常に暗く不鮮明になることなく、必要に応じて手書きで文字を入力して表示することが可能になる。
【００８３】
そして、この第３実施形態の電子辞書装置１０Ｂにおいても、前記第１実施形態（図６、図７参照）や第２実施形態（図９参照）と同様に、手書き文字の文字認識に伴う候補文字（列）も同手書き文字と共に透明タッチパネル３９に対応したタッチパネル用表示領域３９ａ上に表示させ、ユーザによるタッチ操作によって候補文字を選択確定する構成としてもよい。
【００８４】
こうすることで、前記各実施形態の変形例と同様に、複数の表示画面を設ける必要や表示画面全体が常に暗く不鮮明になること無しに、必要に応じて上下移動式タッチパネル３７を使用して手書きで文字を入力して表示できるばかりでなく、当該手書き入力され文字認識された候補文字をも同上下移動式タッチパネル３７をタッチ操作して容易に選択確定させることができる。
【００８５】
なお、前記第１実施形態で説明した回動式タッチパネル１７や前記第２実施形態で説明した左右移動式タッチパネル２７は、その何れの場合も表示部（画面）１６の右端から外れた側方を収納部として当該表示部（画面）１６上に回動または横スライドして引き出される構成としたが、これとは反対側の表示部（画面）１６の左端から外れた側方を収納部として当該表示部（画面）１６上に引き出される構成としてもよいのは勿論である。
【００８６】
また同様に、前記第３実施形態で説明した上下移動式タッチパネル３７は、表示部（画面）１６の下端から外れた下方を収納部として当該表示部（画面）１６上に縦スライドして引き出される構成としたが、これとは反対側の表示部（画面）１６の上端から外れた上方を収納部として当該表示部（画面）１６上に引き出される構成としてもよいのは勿論である。
【００８７】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００８８】
【図１】本発明の電子機器の第１実施形態に係る電子辞書装置１０の外観構成を示す図であり、同図（Ａ）は回動式タッチパネル１７を収納した状態での正面図、（Ａ１）はそのａ−ａ線断面図、（Ａ２）はそのｂ−ｂ線断面図、同図（Ｂ）は回動式タッチパネル１７を引き出した状態での正面図。
【図２】前記電子辞書装置１０の電子回路の構成を示すブロック図。
【図３】前記電子辞書装置１０による辞書検索処理を示すフローチャート。
【図４】前記電子辞書装置１０の国語辞書検索画面Ｇにおいて手書き入力併用モードにより回動式タッチパネル１７を使用した状態での手書き文字入力操作状態を示す図。
【図５】前記電子辞書装置１０による文字入力処理を示すフローチャート。
【図６】前記第１実施形態の電子辞書装置１０による文字入力機能の変形例である手書き入力処理を示すフローチャート。
【図７】前記第１実施形態の電子辞書装置１０による文字入力機能の変形例である手書き入力処理に伴う手書き文字入力操作状態を示す図。
【図８】本発明の電子機器の第２実施形態に係る電子辞書装置１０Ａの外観構成を示す図であり、同図（Ａ）は左右移動式タッチパネル２７を収納した状態での正面図、（Ａ１）はそのａ−ａ線断面図、（Ａ２）はそのｂ−ｂ線断面図、同図（Ｂ）は左右移動式タッチパネル２７を引き出した状態での正面図。
【図９】前記第２実施形態の電子辞書装置１０Ａによる文字入力機能の変形例である手書き入力処理に伴う手書き文字入力操作状態を示す図。
【図１０】前記第２実施形態の電子辞書装置１０Ａにおける左右移動式タッチパネル２７を使用して辞書検索に伴う説明情報表示画面Ｇ１中のジャンプ検索キーワードＪｎを指定可能な状態を示す図。
【図１１】前記第２実施形態の電子辞書装置１０Ａにおけるジャンプ検索機能を備えた辞書検索表示処理を示すフローチャート。
【図１２】本発明の電子機器の第３実施形態に係る電子辞書装置１０Ｂの外観構成を示す図であり、同図（Ａ）は上下移動式タッチパネル３７を収納した状態での正面図、（Ａ１）はそのａ−ａ線断面図、同図（Ｂ）は上下移動式タッチパネル３７を引き出した状態での正面図、（Ｂ１）はそのｂ−ｂ線断面図。
【符号の説明】
【００８９】
１０、１０Ａ、１０Ｂ…電子辞書装置
１１  …本体ケース
１２  …蓋体ケース
１３  …ヒンジ部
１４  …キー入力部
１５  …スピーカ
１６  …表示部（画面）
１７  …回動式タッチパネル
２７  …左右移動式タッチパネル
３７  …上下移動式タッチパネル
１８  …回転軸
１８ａ…移動検出部
２８ａ，２８ｂ…横スライド溝
３８ａ，３８ｂ…縦スライド溝
１９、２９、３９…透明タッチパネル
１９ａ、２９ａ、３９ａ…タッチパネル用表示領域
１９a1、２９a1…第１表示領域
１９a2、２９a2…第２表示領域
２１  …ＣＰＵ
２２  …記憶装置
２２ａ…国語辞書
２２ｂ…英和辞書
２２ｃ…文字認識プログラム
２３  …ＲＡＭ
Ｇ  …国語辞書検索画面
Ｇ１…説明情報表示画面
Ｋ  …候補文字（列）
Ｃ  …反転カーソル
Ｊ１，Ｊ２…ジャンプ検索キーワード
【図１】
2008071161.tif 000003
【図２】
2008071161.tif 000004
【図３】
2008071161.tif 000005
【図４】
2008071161.tif 000006
【図５】
2008071161.tif 000007
【図６】
2008071161.tif 000008
【図７】
2008071161.tif 000009
【図８】
2008071161.tif 000010
【図９】
2008071161.tif 000011
【図１０】
2008071161.tif 000012
【図１１】
2008071161.tif 000013
【図１２】
2008071161.tif 000014